(57)【要約】【課題】スプリングバックに起因した正極タブ及び負極タブの湾曲部の疲労亀裂を抑制できる蓄電装置を提供すること。【解決手段】複数の正極タブ２０ｃ及び複数の負極タブ２１ｃのそれぞれを電極組立体１２の積層方向一端に寄せ集めることで基端部を形成し、延出部を形成する前の状態において、複数の前記正極タブ２０ｃ及び複数の負極タブ２１ｃのうち曲部に対応する曲対応部２４ｃには、第１方向Ａに沿って延びる第１スリット５１が設けられている。【選択図】図２
2020123552.tif 000002
【特許請求の範囲】
【請求項１】
シート状をなす複数の正極とシート状をなす複数の負極とがセパレータにより絶縁された状態で積層された電極組立体と、
前記電極組立体を収容するケースと、
前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられている負極用活物質層と、前記負極用金属箔の一辺の一部から突出する負極タブと、を有し、
前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
複数の前記正極タブ及び複数の前記負極タブのそれぞれを前記電極組立体の積層方向一端に寄せ集めることで前記正極基端部及び前記負極基端部を形成し、前記正極延出部及び前記負極延出部を形成する前の状態において、前記正極タブ群及び前記負極タブ群を構成している複数の前記正極タブ及び複数の前記負極タブのうち前記正極曲部及び前記負極曲部に対応する曲対応部には、前記電極組立体の前記タブ側端面に直交する方向である第１方向に沿って延びる第１スリットが設けられていることを特徴とする蓄電装置。
【請求項２】
前記第１スリットは、前記正極タブ及び前記負極タブを貫通していることを特徴とする請求項１に記載の蓄電装置。
【請求項３】
前記曲対応部には、複数の前記第１スリットが設けられ、
複数の前記第１スリットは、千鳥配列されていることを特徴とする請求項１又は請求項２に記載の蓄電装置。
【請求項４】
前記第１方向及び前記積層方向に直交する方向であり、且つ前記正極タブ及び前記負極タブの幅方向を第２方向とし、
前記第２方向において、複数の前記第１スリットは、前記正極タブ及び前記負極タブの第１端部と、前記第１端部と反対側の第２端部とが前記第２方向に沿って直線で連続しないように千鳥配列されていることを特徴とする請求項３に記載の蓄電装置。
【請求項５】
複数の前記正極タブ及び複数の前記負極タブのそれぞれを前記電極組立体の積層方向一端に寄せ集めることで前記正極基端部及び前記負極基端部を形成する前の状態において、前記正極タブ及び前記負極タブそれぞれの前記湾曲部に対応する湾曲対応部には、前記第１方向に沿って延びる第２スリットが設けられていることを特徴とする請求項１〜請求項４のいずれか一項に記載の蓄電装置。
【請求項６】
前記第２スリットは、前記正極タブ及び前記負極タブを貫通していることを特徴とする請求項５に記載の蓄電装置。
【請求項７】
前記湾曲対応部には、複数の前記第２スリットが設けられ、
複数の前記第２スリットは、千鳥配列されていることを特徴とする請求項５又は請求項６に記載の蓄電装置。
【請求項８】
前記第１方向及び前記積層方向に直交する方向であり、且つ前記正極タブ及び前記負極タブの幅方向を第２方向とし、
前記第２方向において、複数の前記第２スリットは、前記正極タブ及び前記負極タブの第１端部と、前記第１端部と反対側の第２端部とが前記第２方向に沿って直線で連続しないように千鳥配列されていることを特徴とする請求項７に記載の蓄電装置。
【発明の詳細な説明】
【技術分野】
【０００１】
本発明は、蓄電装置に関する。
【背景技術】
【０００２】
従来、特許文献１に記載されるような蓄電装置が知られている。
上記の蓄電装置は、シート状をなす複数の正極及びシート状をなす複数の負極が複数のセパレータにより絶縁された状態で積層された電極組立体と、電極組立体を収容するケースと、ケースに固定されるとともに電極組立体と電気を授受する正極端子及び負極端子とを備えている。
【０００３】
上記の電極組立体の正極は、シート状の正極用金属箔（例えばアルミニウム箔）と、正極用金属箔の両面に設けられている正極用活物質層とを有している。上記の電極組立体の負極は、シート状の負極用金属箔（例えば銅箔）と、負極用金属箔の両面に設けられている負極用活物質層とを有している。
【０００４】
また、電極組立体は、正極を構成する正極用金属箔の一辺の一部から突出した正極タブが寄せ集められた正極タブ群と、負極を構成する負極用金属箔の一辺の一部から突出した負極タブが寄せ集められた負極タブ群とを有している。正極タブ群は、電極組立体の積層方向一端に向けて複数の正極タブが寄せ集められた正極基端部と、正極基端部から電極組立体の積層方向他端に向けて折れ曲がる正極曲部とを有している。また、正極タブ群は、電極組立体の正極タブ群及び負極タブ群が存在するタブ側端面に沿って正極曲部における正極基端部と反対側から電極組立体の積層方向他端に向けて延出するとともに正極端子に固定される正極延出部と、を有している。負極タブ群は、電極組立体の積層方向一端に向けて複数の負極タブが寄せ集められた負極基端部と、負極基端部から電極組立体の積層方向他端に向けて折れ曲がる負極曲部とを有している。また、負極タブ群は、電極組立体のタブ側端面に沿って負極曲部における負極基端部と反対側から電極組立体の積層方向他端に向けて延出するとともに負極端子に固定される負極延出部と、を有している。
【０００５】
複数の正極タブ及び複数の負極タブにおいて、正極基端部及び負極基端部よりもタブ側端面寄りの根本部のなかには、複数の正極タブ及び複数の負極タブが電極組立体の積層方向一端に向けて寄せ集められた状態で折れ曲がっている湾曲部を有する根本部が含まれている。
【先行技術文献】
【特許文献】
【０００６】
【特許文献１】特開２０１５−３２５４９号公報
【発明の概要】
【発明が解決しようとする課題】
【０００７】
ところで、上記の構成を備えた蓄電装置において、電極組立体がケースに収容され、且つ正極端子及び負極端子がケースと、各タブ群の正極延出部及び負極延出部とに固定された状態となるため、正極タブ群の正極曲部及び負極タブ群の負極曲部には、残留応力が作用する。正極タブ群及び負極タブ群は、正極曲部及び負極曲部を中心として折れ曲がった状態からまっすぐ延びるように戻ろうとする。すなわち、正極タブ群及び負極タブ群にスプリングバックが発生する。そのため、電極組立体をケースに収容した状態で、且つ正極タブ群における正極曲部及び負極タブ群における負極曲部に残留応力が作用している状態で蓄電装置が振動することで正極曲部及び負極曲部に繰り返し荷重が作用してしまうと、複数の正極タブ及び複数の負極タブの湾曲部に荷重が伝わり、ひいては複数の正極タブ及び複数の負極タブの湾曲部に疲労亀裂が発生する虞がある。ひいては、疲労亀裂が発生した正極タブ及び負極タブの電気抵抗が増加してしまい、蓄電装置の性能が低下してしまう。
【０００８】
本発明は、このような従来の技術に存在する問題点に着目してなされたものであり、その目的は、スプリングバックに起因した正極タブ及び負極タブの湾曲部の疲労亀裂を抑制できる蓄電装置を提供することにある。
【課題を解決するための手段】
【０００９】
上記課題を解決する蓄電装置は、シート状をなす複数の正極とシート状をなす複数の負極とがセパレータにより絶縁された状態で積層された電極組立体と、前記電極組立体を収容するケースと、前記ケースに固定されるとともに前記電極組立体と電気を授受する正極端子及び負極端子とを備え、
前記正極は、シート状の正極用金属箔と、前記正極用金属箔の両面の少なくとも一方に設けられている正極用活物質層と、前記正極用金属箔の一辺の一部から突出する正極タブと、を有し、
前記負極は、シート状の負極用金属箔と、前記負極用金属箔の両面の少なくとも一方に設けられている負極用活物質層と、前記負極用金属箔の一辺の一部から突出する負極タブと、を有し、
前記電極組立体は、複数の前記正極タブが寄せ集められた正極タブ群と、複数の前記負極タブが寄せ集められた負極タブ群と、を有し、
前記正極タブ群は、前記電極組立体の積層方向一端に向けて複数の前記正極タブが寄せ集められた正極基端部と、前記正極基端部から前記電極組立体の積層方向他端に向けて折れ曲がる正極曲部と、前記電極組立体の前記正極タブ群及び前記負極タブ群が存在するタブ側端面に沿って前記正極曲部における前記正極基端部と反対側から前記電極組立体の積層方向他端に向けて延出するとともに前記正極端子に固定される正極延出部と、を有し、
前記負極タブ群は、前記電極組立体の積層方向一端に向けて複数の前記負極タブが寄せ集められた負極基端部と、前記負極基端部から前記電極組立体の積層方向他端に向けて折れ曲がる負極曲部と、前記電極組立体の前記タブ側端面に沿って前記負極曲部における前記負極基端部と反対側から前記電極組立体の積層方向他端に向けて延出するとともに前記負極端子に固定される負極延出部と、を有し、
複数の前記正極タブ及び複数の前記負極タブにおいて、前記正極基端部及び前記負極基端部よりも前記タブ側端面寄りに設けられる根本部のなかには、複数の前記正極タブ及び複数の前記負極タブが前記電極組立体の積層方向一端に寄せ集められた状態で折れ曲がっている湾曲部を有する前記根本部が含まれ、
複数の前記正極タブ及び複数の前記負極タブのそれぞれを前記電極組立体の積層方向一端に寄せ集めることで前記正極基端部及び前記負極基端部を形成し、前記正極延出部及び前記負極延出部を形成する前の状態において、前記正極タブ群及び前記負極タブ群を構成している複数の前記正極タブ及び複数の前記負極タブのうち前記正極曲部及び前記負極曲部に対応する曲対応部には、前記電極組立体の前記タブ側端面に直交する方向である第１方向に沿って延びる第１スリットが設けられている。
【００１０】
これによれば、正極タブ群の正極延出部及び負極タブ群の負極延出部を設ける前の状態において、正極タブ群及び負極タブ群を構成する複数の正極タブ及び複数の負極タブの曲対応部には、第１方向に沿って延びる第１スリットが設けられている。このため、正極タブ群の正極延出部及び負極タブ群の負極延出部を形成し、正極タブ群の正極曲部及び負極タブ群の負極曲部を形成したとき、曲対応部に設けられている第１スリットが第１方向及び電極組立体の積層方向に直交する方向に向かって開くように変形する。正極タブ群及び負極タブ群を折り曲げることで正極曲部及び負極曲部には、応力が発生するが、第１スリットが開くように変形することで正極タブ群の正極曲部及び負極タブ群の負極曲部に発生する応力を逃がすことができる。すなわち、正極タブ群及び負極タブ群が折れ曲がった状態からまっすぐ延びるように戻ろうとするスプリングバックが抑制される。したがって、スプリングバックに起因した正極タブ及び負極タブの湾曲部の疲労亀裂が抑制できる。
【００１１】
上記の蓄電装置において、前記第１スリットは、前記正極タブ及び前記負極タブを貫通しているとよい。
これによれば、正極タブ群の正極延出部及び負極タブ群の負極延出部を形成するときに第１スリットが、第１方向及び電極組立体の積層方向に直交する方向に向かって開くように変形しやすくなる。よって、正極タブ群の正極曲部及び負極タブ群の負極曲部に発生する応力をより逃がしやすくできる。
【００１２】
上記の蓄電装置において、前記曲対応部には、複数の前記第１スリットが設けられ、複数の前記第１スリットは、千鳥配列されているとよい。
これによれば、複数の第１スリットが設けられることで正極タブ及び負極タブの曲対応部の第１方向及び電極組立体の積層方向に直交する方向に向かっての変形量を多くすることができる。よって、正極タブ及び負極タブに生じる応力を逃げやすくすることができる。また、複数の第１スリットが千鳥配列されていることで、正極タブ及び負極タブの曲対応部のより広範囲に応力を逃がすことができる。したがって、正極タブ群の正極曲部及び負極タブ群の負極曲部に発生する応力をより広範囲に逃がすことができる。
【００１３】
上記の蓄電装置において、前記第１方向及び前記積層方向に直交する方向であり、且つ前記正極タブ及び前記負極タブの幅方向を第２方向とし、前記第２方向において、複数の前記第１スリットは、前記正極タブ及び前記負極タブの第１端部と、前記第１端部と反対側の第２端部とが前記第２方向に沿って直線で連続しないように千鳥配列されているとよい。
【００１４】
これによれば、正極タブ及び負極タブの曲対応部には、第２方向において複数の第１スリットが常に設けられている状態となる。すなわち、複数の第１スリットは、第２方向に沿って位置をずらしつつ、第１方向に沿って複数の第１スリットが互いにオーバーラップするように設けられている。よって、曲対応部において第２方向に変形しない部分がない状態となる。したがって、正極タブ群の正極曲部及び負極タブ群の負極曲部に発生する応力をより効率良く第２方向に向けて逃がすことができる。
【００１５】
上記の蓄電装置において、複数の前記正極タブ及び複数の前記負極タブのそれぞれを前記電極組立体の積層方向一端に寄せ集めることで前記正極基端部及び前記負極基端部を形成する前の状態において、前記正極タブ及び前記負極タブそれぞれの前記湾曲部に対応する湾曲対応部には、前記第１方向に沿って延びる第２スリットが設けられているとよい。
【００１６】
これによれば、正極タブ群の正極基端部及び負極タブ群の負極基端部を設ける前の状態において、正極タブ群及び負極タブ群を構成する複数の正極タブ及び複数の負極タブの湾曲対応部には、第１方向に沿って延びる第２スリットが設けられている。このため、正極タブ群の正極基端部及び負極タブ群の負極基端部を形成したとき、湾曲対応部に設けられている第２スリットが第１方向及び電極組立体の積層方向に直交する方向に向かって開くように変形する。正極タブ及び負極タブを折り曲げることで湾曲部には、応力が発生するが、第２スリットが開くように変形することで正極タブ及び負極タブの湾曲部に発生する応力を逃がすことができる。すなわち、正極タブ及び負極タブそれぞれの湾曲部が折れ曲がった状態からまっすぐ延びるように戻ろうとするスプリングバックが抑制され、ひいては正極タブ及び負極タブの湾曲部に作用する残留応力を抑制できる。したがって、スプリングバックに起因した正極タブ及び負極タブの湾曲部の疲労亀裂を抑制できる。
【００１７】
上記の蓄電装置において、前記第２スリットは、前記正極タブ及び前記負極タブを貫通しているとよい。
これによれば、正極タブ群の正極基端部及び負極タブ群の負極基端部を形成するときに第２スリットが、第１方向及び電極組立体の積層方向に直交する方向に向かって開くように変形しやすくなる。よって、正極タブ及び負極タブの湾曲部に発生する応力をより逃がしやすくできる。
【００１８】
上記の蓄電装置において、前記湾曲対応部には、複数の前記第２スリットが設けられ、
複数の前記第２スリットは、千鳥配列されているとよい。
これによれば、湾曲対応部に複数の第２スリットが設けられることで変形量を多くすることができる。よって、正極タブ及び負極タブに生じる応力を逃げやすくすることができる。また、複数の第２スリットが千鳥配列されていることで、正極タブ及び負極タブの湾曲対応部のより広範囲に応力を逃がすことができる。したがって、正極タブ及び負極タブの湾曲部に発生する応力をより広範囲に逃がすことができる。
【００１９】
上記の蓄電装置において、前記第１方向及び前記積層方向に直交する方向であり、且つ前記正極タブ及び前記負極タブの幅方向を第２方向とし、前記第２方向において、複数の前記第２スリットは、前記正極タブ及び前記負極タブの第１端部と、前記第１端部と反対側の第２端部とが前記第２方向に沿って直線で連続しないように千鳥配列されているとよい。
【００２０】
これによれば、正極タブ及び負極タブの湾曲対応部には、第２方向において複数の第２スリットが常に設けられている状態となる。すなわち、複数の第２スリットは、第２方向Ｂに沿って位置をずらしつつ、第１方向に沿って複数の第２スリットが互いにオーバーラップするように設けられている。よって、湾曲対応部において第２方向に変形しない部分がない状態となる。したがって、正極タブ及び負極タブの湾曲部に発生する応力をより効率良く第２方向に向けて逃がすことができる。
【発明の効果】
【００２１】
この発明によれば、スプリングバックに起因した正極タブ及び負極タブの湾曲部の疲労亀裂を抑制できる。
【図面の簡単な説明】
【００２２】
【図１】蓄電装置の分解斜視図。
【図２】電極組立体の分解斜視図。
【図３】（ａ），（ｂ）は、蓄電装置の断面図。
【図４】延出部を形成する前のタブの概略図。
【図５】基端部を形成する前のタブの概略図。
【図６】基端部及び延出部を形成する前のスリットを示した正面図。
【図７】基端部及び延出部を形成した後のスリットを示した正面図。
【発明を実施するための形態】
【００２３】
以下、蓄電装置を二次電池に具体化した実施形態を図１〜図７にしたがって説明する。
図１に示すように、蓄電装置としての二次電池１０は、ケース１１を備えている。二次電池１０は、ケース１１に収容された電極組立体１２及び電解液（図示略）を備えている。ケース１１は、有底四角筒状のケース本体１３と、ケース本体１３の開口部１３ａを閉塞する板状の蓋１４とを有している。ケース１１を構成するケース本体１３及び蓋１４は、何れも金属製（例えば、ステンレスやアルミニウム）である。また、本実施形態の二次電池１０は、外観が角型をなす角型電池である。また、本実施形態の二次電池１０は、リチウムイオン二次電池である。
【００２４】
二次電池１０は、電極組立体１２と電気を授受する正極端子１５及び負極端子１６を備えている。正極端子１５及び負極端子１６は、蓋１４に所定間隔を空けて並設された一対の孔１４ａからケース１１の外部に露出される。また、正極端子１５及び負極端子１６には、ケース１１との間を絶縁するためのリング状の絶縁リング１７ａがそれぞれ取り付けられている。これにより、正極端子１５及び負極端子１６は、ケース１１に固定されている。なお、正極端子１５及び負極端子１６は、それぞれ同じ極性を有する正極導電部材及び負極導電部材を有している。
【００２５】
蓋１４は、厚さ方向に貫通する丸孔状の注液口１４ｃを備えている。注液口１４ｃは、ケース１１に電解液を注入するために用いられる。注液口１４ｃは、封止部材１９によって封止され、注液口１４ｃのシール性が維持されている。
【００２６】
図２、図３（ａ）、及び図３（ｂ）に示すように、電極組立体１２は、シート状をなす複数の正極２０と、シート状をなす複数の負極２１と、シート状をなす複数のセパレータ２３とを有している。電極組立体１２は、複数の正極２０と複数の負極２１とをセパレータ２３により絶縁された状態で積層されることで構成されている。なお、正極２０、負極２１、及びセパレータ２３の積層される方向を電極組立体１２の積層方向とする。
【００２７】
図２に示すように、正極２０は、シート状の正極用金属箔（例えばアルミニウム箔）２０ａと、正極用金属箔２０ａの両面に設けられた正極用活物質層２０ｂと、正極用金属箔２０ａの一辺の一部から突出する帯状の正極タブ２０ｃとを有している。正極タブ２０ｃは、正極用金属箔２０ａそのもので構成されている。
【００２８】
負極２１は、シート状の負極用金属箔（例えば銅箔）２１ａと、負極用金属箔２１ａの両面に設けられている負極用活物質層２１ｂと、負極用金属箔２１ａの一辺の一部から突出する帯状の負極タブ２１ｃとを有している。負極タブ２１ｃは、負極用金属箔２１ａそのもので構成されている。複数の正極タブ２０ｃ及び複数の負極タブ２１ｃは、正極２０と負極２１とが積層された状態で正極タブ２０ｃと負極タブ２１ｃとが重ならない位置に存在する。
【００２９】
図３（ａ）及び図３（ｂ）に示すように、二次電池１０としては、正極２０の正極用活物質層２０ｂに対して負極２１の負極用活物質層２１ｂが電極組立体１２の積層方向に対向しなければならない。そのため、負極２１の負極用活物質層２１ｂは、正極２０の正極用活物質層２０ｂよりも大きく形成される。具体的には、電極組立体１２の積層方向において、正極用金属箔２０ａに設けられた正極用活物質層２０ｂを負極用金属箔２１ａに設けられた負極用活物質層２１ｂが覆うことができるように負極用活物質層２１ｂが正極用活物質層２０ｂよりも大きく設定されている。このため、電極組立体１２において、負極２１の負極用活物質層２１ｂの外縁部は、正極用活物質層２０ｂの外縁よりも外側にはみ出した塗工延出部４０を構成する。
【００３０】
図３（ａ）に示すように、電極組立体１２は、正極タブ群２５を備えている。正極タブ群２５は、複数の正極タブ２０ｃを電極組立体１２の積層方向に寄せ集められることで構成されている。
【００３１】
正極タブ群２５は、電極組立体１２の積層方向一端に向けて複数の正極タブ２０ｃが寄せ集められた正極基端部２７ａと、正極基端部２７ａから電極組立体１２の積層方向他端に向けて折れ曲がる正極曲部２４ａとを有している。また、正極タブ群２５は、電極組立体１２の正極タブ群２５及び負極タブ群２６が存在するタブ側端面１２ａに沿って正極曲部２４ａの正極基端部２７ａと反対側から電極組立体１２の積層方向他端に向けて延出する正極延出部２８ａを有している。電極組立体１２のタブ側端面１２ａは、負極用金属箔２１ａの負極タブ２１ｃが設けられている一辺と、セパレータ２３の一辺とが電極組立体１２の積層方向に沿って寄せ集められることで構成されている。また、正極タブ群２５の正極延出部２８ａには、正極端子１５の正極導電部材が固定されている。
【００３２】
図３（ｂ）に示すように、電極組立体１２は、負極タブ群２６を備えている。負極タブ群２６は、複数の負極タブ２１ｃを電極組立体１２の積層方向に寄せ集められることで構成されている。
【００３３】
負極タブ群２６は、電極組立体１２の積層方向一端に向けて複数の負極タブ２１ｃが寄せ集められた負極基端部２７ｂと、負極基端部２７ｂから電極組立体１２の積層方向他端に向けて折れ曲がる負極曲部２４ｂとを有している。また、負極タブ群２６は、電極組立体１２のタブ側端面１２ａに沿って負極曲部２４ｂの負極基端部２７ｂと反対側から電極組立体１２の積層方向に向けて延出する負極延出部２８ｂを有している。また、負極タブ群２６の負極延出部２８ｂには、負極端子１６の負極導電部材が固定されている。
【００３４】
図３（ａ）及び図３（ｂ）に示すように、複数の正極タブ２０ｃ及び複数の負極タブ２１ｃは、正極基端部２７ａ及び負極基端部２７ｂよりもタブ側端面１２ａ寄りに複数の根本部２９を有している。複数の根本部２９のなかには、複数の正極タブ２０ｃ及び複数の負極タブ２１ｃが電極組立体１２の積層方向一端に寄せ集められた状態で折れ曲がっている湾曲部２９ａを有する根本部２９が含まれている。本実施形態では、全ての正極タブ２０ｃの根本部２９（図３（ａ）参照）は湾曲部２９ａを有している。負極タブ２１ｃの根本部２９のうち、電極組立体１２の積層方向一端に位置するもの（図４参照）を除いて複数の負極タブ２１ｃの根本部２９は湾曲部２９ａを有している。なお、電極組立体１２の積層方向一端に位置する負極タブ２１ｃは、ケース本体１３の側壁に沿って蓋１４に向けてまっすぐ延びている（図３（ｂ）参照）。
【００３５】
正極タブ２０ｃにおける根本部２９の湾曲部２９ａは、正極タブ２０ｃが山折りとなるように折れ曲がる山折り部２０ｄと、谷折りとなるように折れ曲がる谷折り部２０ｅとを有している。負極タブ２１ｃにおける根本部２９の湾曲部２９ａは、負極タブ２１ｃが山折りとなるように折れ曲がる山折り部２１ｄと、谷折りとなるように折れ曲がる谷折り部２１ｅとを有している。ここで、山折り部２０ｄ，２１ｄは、電極組立体１２の積層方向他端から電極組立体１２の積層方向に沿って見て山折りとなるように折れ曲がっている。谷折り部２０ｅ，２１ｅは、電極組立体１２の積層方向一端から電極組立体１２の積層方向に沿って見て谷折りとなるように折れ曲がっている。
【００３６】
ここで、正極タブ群２５及び負極タブ群２６は、正極曲部２４ａ及び負極曲部２４ｂを中心として折れ曲がった状態からまっすぐ延びるように戻ろうとする。すなわち、正極タブ群２５及び負極タブ群２６にスプリングバックが発生する。そのため、電極組立体１２をケース１１に収容した状態で、正極タブ群２５の正極曲部２４ａ及び負極タブ群２６の負極曲部２４ｂに残留応力が作用した状態で繰り返し荷重が作用してしまうと、正極タブ群２５及び負極タブ群２６を構成する複数の正極タブ２０ｃ及び複数の負極タブ２１ｃの湾曲部２９ａに疲労亀裂が発生する虞がある。
【００３７】
本実施形態の二次電池１０には、複数の正極タブ２０ｃ及び複数の負極タブ２１ｃの湾曲部２９ａの疲労亀裂を抑制する構成が設けられている。以下、正極タブ群２５の正極延出部２８ａ及び負極タブ群２６の負極延出部２８ｂが形成される前の状態と、正極タブ群２５の正極基端部２７ａ及び負極タブ群２６の負極基端部２７ｂが形成される前の状態との場合に分けて上述の疲労亀裂を抑制する構成を説明する。なお、正極タブ群２５の正極基端部２７ａ及び負極タブ群２６の負極基端部２７ｂ、正極タブ群２５の正極延出部２８ａ及び負極タブ群２６の負極延出部２８ｂは同様の構成を有している。そのため、図４には正極タブ群２５の正極延出部２８ａが形成される前の状態を図示し、負極タブ群２６についての記載は割愛する。
【００３８】
図４に示すように、複数の正極タブ２０ｃを電極組立体１２の積層方向一端に寄せ集めることで正極基端部２７ａを形成し、正極延出部２８ａが形成される前の状態とする。この状態において、電極組立体１２の積層方向一端には、複数の正極タブ２０ｃが寄せ集められた正極タブ束部３０が形成される。正極タブ束部３０は、電極組立体１２のタブ側端面１２ａ寄りに設けられる正極基端部２７ａと、正極基端部２７ａから電極組立体１２と反対側に向けて延びる突出延部３１とで構成されている。突出延部３１は、突出延部３１を折り曲げたときに正極延出部２８ａに対応する延出対応部２８ｃと、突出延部３１を折り曲げたときに正極曲部２４ａに対応する曲対応部２４ｃとを有している。
【００３９】
図２に示すように、複数の正極タブ２０ｃ及び複数の負極タブ２１ｃのうち正極曲部２４ａ及び負極曲部２４ｂに対応する曲対応部２４ｃには、正極タブ２０ｃ及び負極タブ２１ｃが正極用金属箔２０ａ及び負極用金属箔２１ａから突出する方向、いわゆる電極組立体１２のタブ側端面１２ａ（図３（ａ），（ｂ）参照）に直交する第１方向Ａに沿って長手が延びる複数の第１スリット５１が設けられている。複数の第１スリット５１は、正極タブ２０ｃ及び負極タブ２１ｃを貫通している。
【００４０】
また、正極タブ群２５の正極基端部２７ａ及び負極タブ群２６の負極基端部２７ｂが形成される前の状態を考える。この状態において、正極タブ２０ｃ及び負極タブ２１ｃが第１方向Ａに沿って突出している状態となる。正極タブ２０ｃ及び負極タブ２１ｃのそれぞれの湾曲部２９ａ（図３（ａ），（ｂ）参照）に対応する湾曲対応部２９ｂには、第１方向Ａに沿って長手が延びる複数の第２スリット５２が設けられている。複数の第２スリット５２は、正極タブ２０ｃ及び負極タブ２１ｃを貫通している。
【００４１】
次に、複数の第１スリット５１及び複数の第２スリット５２の構成について本実施形態の作用とともに説明する。なお、図２では第１スリット５１の数と第２スリット５２の数が異なるように記載されているが、複数の第１スリット５１及び複数の第２スリット５２の並び方は同じである。そのため、図５では、複数の第１スリット５１の並び方を示す図となっているが、第２スリット５２の並び方の説明も同図を用いて説明する。
【００４２】
図５に示すように、複数の正極タブ２０ｃ及び複数の負極タブ２１ｃを電極組立体１２の積層方向一端に寄せ集めて正極基端部２７ａ及び負極基端部２７ｂを形成し、正極延出部２８ａ及び負極延出部２８ｂを形成する前の状態、又は複数の正極タブ２０ｃ及び複数の負極タブ２１ｃを電極組立体１２の積層方向一端に寄せ集めて正極基端部２７ａ及び負極基端部２７ｂを形成する前の状態において、複数の第１スリット５１及び複数の第２スリット５２は、千鳥配列されている。
【００４３】
第１方向Ａ及び電極組立体１２の積層方向に直交する方向であり、正極タブ２０ｃ及び負極タブ２１ｃの幅方向を第２方向Ｂとする。第２方向Ｂにおいて正極タブ２０ｃ及び負極タブ２１ｃの両端をそれぞれ、第１端部２２ａ及び第２端部２２ｂとする。第１端部２２ａ及び第２端部２２ｂは、第１方向Ａに沿って延びる端部である。第２方向Ｂにおいて、複数の第１スリット５１及び複数の第２スリット５２は、正極タブ２０ｃ及び負極タブ２１ｃの第１端部２２ａと、第１端部２２ａと反対側の第２端部２２ｂとが第２方向Ｂに沿って直線で連続しないように千鳥配列されている。すなわち、複数の第１スリット５１は、第２方向Ｂに沿って位置をずらしつつ、第１方向Ａに沿って複数の第１スリット５１の一部分が互いにオーバーラップするように並べられている。また、複数の第２スリット５２も同様に、第２方向Ｂに沿って位置をずらしつつ、第１方向Ａに沿って複数の第２スリットの一部が互いにオーバーラップするように並べられている。
【００４４】
次に、本実施形態の作用について説明する。
図６に示すように、複数の正極タブ２０ｃ及び複数の負極タブ２１ｃを電極組立体１２の積層方向一端に向けて寄せ集めることで正極基端部２７ａ及び負極基端部２７ｂを構成すると、正極タブ２０ｃ及び負極タブ２１ｃの根本部２９には、湾曲部２９ａが形成される。これに伴い、湾曲部２９ａの山折り部２０ｄ，２１ｄには引張応力が作用する。また、湾曲部２９ａの谷折り部２０ｅ，２１ｅには圧縮応力が作用する。ここで、正極タブ２０ｃ及び負極タブ２１ｃの湾曲対応部２９ｂに設けられた第２スリット５２が第２方向Ｂに広がる。よって、湾曲部２９ａに作用する引張応力及び圧縮応力は、第２スリット５２の変形する方向に向けて逃がされる。
【００４５】
また、複数の正極タブ２０ｃ及び複数の負極タブ２１ｃを電極組立体１２の積層方向一端に向けて寄せ集めることで正極基端部２７ａ及び負極基端部２７ｂを形成した後、正極延出部２８ａ及び負極延出部２８ｂを形成することで正極タブ群２５及び負極タブ群２６を構成すると、正極タブ群２５の正極曲部２４ａ及び負極タブ群２６の負極曲部２４ｂが形成される。これに伴い、正極曲部２４ａ及び負極曲部２４ｂにも同様に引張応力及び圧縮応力が作用する。ここで、正極タブ群２５及び負極タブ群２６を構成する複数の正極タブ２０ｃ及び負極タブ２１ｃの正極曲部２４ａ及び負極曲部２４ｂに対応する曲対応部２４ｃに設けられた複数の第１スリット５１が第２方向Ｂに広がる。よって、正極曲部２４ａ及び負極曲部２４ｂに作用する引張応力及び圧縮応力は、第１スリット５１の変形する方向に向けて逃がされる。
【００４６】
複数の第１スリット５１及び複数の第２スリット５２の変形量は、正極曲部２４ａ、負極曲部２４ｂ、及び湾曲部２９ａの第１方向Ａ及び第２方向Ｂの中央部に近くなるほど大きくなる。そのため、複数の第１スリット５１及び複数の第２スリット５２が変形した状態において、正極タブ２０ｃの正極曲部２４ａ、負極タブ２１ｃの負極曲部２４ｂ、及び湾曲部２９ａに対応する部分における第１端部２２ａ及び第２端部２２ｂは、円弧状に膨らんだ状態となる。そして、正極タブ群２５及び負極タブ群２６を形成した状態では、正極曲部２４ａ、負極曲部２４ｂ、及び湾曲部２９ａに作用した引張応力及び圧縮応力は第２方向Ｂに向けて逃げた状態に維持される。そのため、正極曲部２４ａ、負極曲部２４ｂ、及び湾曲部２９ａには、引張残留応力及び圧縮残留応力が抑制された状態で維持される。
【００４７】
本実施形態では以下の効果を得ることができる。
（１）本実施形態では、正極タブ群２５の正極延出部２８ａ及び負極タブ群２６の負極延出部２８ｂを形成し、正極タブ群２５の正極曲部２４ａ及び負極タブ群２６の負極曲部２４ｂを形成したとき、曲対応部２４ｃに設けられている第１スリット５１が第２方向Ｂに向かって開くように変形する。正極タブ群２５及び負極タブ群２６を折り曲げることで正極曲部２４ａ及び負極曲部２４ｂには、応力が発生するが、第１スリット５１が開くように変形することで正極タブ群２５の正極曲部２４ａ及び負極タブ群２６の負極曲部２４ｂに発生する応力を逃がすことができる。すなわち、正極タブ群２５及び負極タブ群２６が折れ曲がった状態からまっすぐ延びるように戻ろうとするスプリングバックが抑制され、ひいては正極タブ群２５の正極曲部２４ａ及び負極タブ群２６の負極曲部２４ｂに作用する残留応力を抑制できる。したがって、スプリングバックに起因した正極タブ２０ｃ及び負極タブ２１ｃの湾曲部２９ａの疲労亀裂をより抑制できる。
【００４８】
（２）本実施形態では、第１スリット５１は、正極タブ２０ｃ及び負極タブ２１ｃを貫通している。そのため、正極タブ群２５の正極延出部２８ａ及び負極タブ群２６の負極延出部２８ｂを形成するときに第１スリット５１が、第２方向Ｂに向かって開くように変形しやすくなる。よって、正極タブ群２５の正極曲部２４ａ及び負極タブ群２６の負極曲部２４ｂに発生する応力をより逃がしやすくできる。
【００４９】
（３）本実施形態では、複数の第１スリット５１は、千鳥配列されている。そのため、複数の第１スリット５１が設けられることで正極タブ２０ｃ及び負極タブ２１ｃの曲対応部２４ｃの第２方向Ｂに向かっての変形量を多くすることができる。よって、正極タブ２０ｃ及び負極タブ２１ｃに生じる応力を逃げやすくすることができる。また、複数の第１スリット５１が千鳥配列されていることで、正極タブ２０ｃ及び負極タブ２１ｃの曲対応部２４ｃのより広範囲に応力を逃がすことができる。したがって、正極タブ群２５の正極曲部２４ａ及び負極タブ群２６の負極曲部２４ｂに発生する応力をより広範囲に逃がすことができる。
【００５０】
（４）本実施形態では、第２方向Ｂにおいて、複数の第１スリット５１は、正極タブ２０ｃ及び負極タブ２１ｃの第１端部２２ａと、第１端部２２ａと反対側の第２端部２２ｂとが第２方向Ｂに沿って直線で連続しないように千鳥配列されている。そのため、正極タブ２０ｃ及び負極タブ２１ｃの曲対応部２４ｃには、第２方向Ｂにおいて複数の第１スリット５１が常に設けられている状態となる。すなわち、複数の第１スリット５１は、第２方向Ｂに沿って位置をずらしつつ、第１方向Ａに沿って複数の第１スリット５１が互いにオーバーラップするように設けられている。よって、曲対応部２４ｃにおいて第２方向Ｂに変形しない部分がない状態となる。したがって、正極タブ群２５の正極曲部２４ａ及び負極タブ群２６の負極曲部２４ｂに発生する応力をより効率良く第２方向Ｂに向けて逃がすことができる。
【００５１】
（５）本実施形態では、正極タブ群２５の正極基端部２７ａ及び負極タブ群２６の負極基端部２７ｂを形成したとき、湾曲対応部２９ｂに設けられている第２スリット５２が第２方向Ｂに向かって開くように変形する。正極タブ２０ｃ及び負極タブ２１ｃを折り曲げることで湾曲部２９ａには、応力が発生するが、第２スリット５２が開くように変形することで正極タブ２０ｃ及び負極タブ２１ｃの湾曲部２９ａに発生する応力を逃がすことができる。すなわち、正極タブ２０ｃ及び負極タブ２１ｃそれぞれの湾曲部２９ａが折れ曲がった状態からまっすぐ延びるように戻ろうとするスプリングバックが抑制され、ひいては正極タブ２０ｃ及び負極タブ２１ｃの湾曲部２９ａに作用する残留応力を抑制できる。したがって、スプリングバックに起因した正極タブ２０ｃ及び負極タブ２１ｃの湾曲部２９ａの疲労亀裂を抑制できる。
【００５２】
（６）本実施形態では、第２スリット５２は、正極タブ２０ｃ及び負極タブ２１ｃを貫通している。そのため、正極タブ群２５の正極基端部２７ａ及び負極タブ群２６の負極基端部２７ｂを形成するときに第２スリット５２が、第２方向Ｂに向かって開くように変形しやすくなる。よって、正極タブ２０ｃ及び負極タブ２１ｃの湾曲部２９ａに発生する応力をより逃がしやすくできる。
【００５３】
（７）複数の第２スリット５２は、千鳥配列されている。そのため、湾曲対応部２９ｂに複数の第２スリット５２が設けられることで正極タブ２０ｃ及び負極タブ２１ｃの曲対応部２４ｃの第２方向Ｂに向かっての変形量を多くすることができる。よって、正極タブ２０ｃ及び負極タブ２１ｃに生じる応力を逃げやすくすることができる。また、複数の第２スリット５２が千鳥配列されていることで、正極タブ２０ｃ及び負極タブ２１ｃの湾曲対応部２９ｂのより広範囲に応力を逃がすことができる。したがって、正極タブ２０ｃ及び負極タブ２１ｃの湾曲部２９ａに発生する応力をより広範囲に逃がすことができる。
【００５４】
（８）本実施形態では、第２方向Ｂにおいて、複数の第２スリット５２は、正極タブ２０ｃ及び負極タブ２１ｃの第１端部２２ａと、第１端部２２ａと反対側の第２端部２２ｂとが第２方向Ｂに沿って直線で連続しないように千鳥配列されている。そのため、正極タブ２０ｃ及び負極タブ２１ｃの湾曲対応部２９ｂには、第２方向Ｂにおいて複数の第２スリット５２が常に設けられている状態となる。すなわち、複数の第２スリット５２は、第２方向Ｂに沿って位置をずらしつつ、第１方向Ａに沿って複数の第２スリット５２が互いにオーバーラップするように設けられている。よって、湾曲対応部２９ｂにおいて第２方向Ｂに変形しない部分がない状態となる。したがって、正極タブ２０ｃ及び負極タブ２１ｃの湾曲部２９ａに発生する応力をより効率良く第２方向Ｂに向けて逃がすことができる。
【００５５】
なお、本実施形態は、以下のように変更して実施することができる。本実施形態及び以下の変更例は、技術的に矛盾しない範囲で互いに組み合わせて実施することができる。
〇  第２方向Ｂにおいて、複数の第２スリット５２は、正極タブ２０ｃ及び負極タブ２１ｃの第１端部２２ａと、第１端部２２ａと反対側の第２端部２２ｂとが第２方向Ｂに沿って直線で連続しないように千鳥配列されていたが、これに限らない。例えば以下のように変更してもよい。
【００５６】
図７に示すように、複数の第１スリット５１及び複数の第２スリット５２を第２方向Ｂに沿って位置をずらしつつ、第１方向Ａに沿ってオーバーラップしないように配置してもよい。
【００５７】
〇  複数の第１スリット５１及び複数の第２スリット５２は、第１方向Ａ及び第２方向Ｂに沿って整列するように配列してもよい。
〇  第１スリット５１の数及び第２スリット５２の数は適宜変更してもよい。例えば、１つでもよい。この場合、第１スリット５１は、第１方向Ａに沿って正極タブ２０ｃ及び負極タブ２１ｃの曲対応部２４ｃの全長に亘って設けられるとよい。第２スリット５２は、第１方向に沿って正極タブ２０ｃ及び負極タブ２１ｃの湾曲対応部２９ｂの全長に亘って設けられるとよい。また、第１スリット５１及び第２スリット５２の数を多くする場合、正極タブ２０ｃ及び負極タブ２１ｃの断面積が小さくなり導電性が低下しない範囲で数を多くすることが好ましい。
【００５８】
〇  第１スリット５１及び第２スリット５２は、正極タブ２０ｃ及び負極タブ２１ｃを貫通しない溝状としてもよい。
〇  正極タブ２０ｃ及び負極タブ２１ｃに第１スリット５１が設けられ、第２スリット５２が設けられていない構成を採用してもよい。
【００５９】
〇  正極２０において、正極用活物質層２０ｂは正極用金属箔２０ａの片面にのみ存在してもよい。負極２１において、負極用活物質層２１ｂは負極用金属箔２１ａの片面にのみ存在してもよい。すなわち、正極用活物質層２０ｂ及び負極用活物質層２１ｂは、正極用金属箔２０ａ及び負極用金属箔２１ａの少なくとも一方に設けられていればよい。
【００６０】
〇  負極タブ群２６を構成する複数の負極タブ２１ｃのうち電極組立体１２の積層方向一端に位置する負極タブ２１ｃの根本部２９には、湾曲部２９ａが設けられていなかったが、これに限らない。例えば、負極タブ群２６の負極基端部２７ｂを形成する位置を、本実施形態から電極組立体１２の中央部に向けて若干移動させることで電極組立体１２の積層方向一端に位置する負極タブ２１ｃにも湾曲部２９ａが形成される。この場合においても、湾曲部２９ａに対応する湾曲対応部２９ｂに第２スリット５２を設けることが好ましい。なお、正極タブ群２５と負極タブ群２６との構成を逆にしてもよい。
【００６１】
〇  二次電池１０は、リチウムイオン二次電池以外の他の二次電池であってもよい。要するに正極用活物質層２０ｂと負極用活物質層２１ｂとの間をイオンが移動するとともに電荷の授受を行うものであればよい。
【００６２】
〇  蓄電装置は、二次電池１０でなく、電気二重層キャパシタ等の他の蓄電装置に適用してもよい。
次に、上記実施形態及び別例から把握できる技術的思想について以下追記する。
【００６３】
（１）前記第１スリットが前記正極タブ及び前記負極タブを貫通しない溝形状をなす場合、前記第１スリットは、前記曲部が山折りとなるように折れ曲がっている部分に設けられている蓄電装置。
【００６４】
（２）前記第２スリットが前記正極タブ及び前記負極タブを貫通しない溝形状をなす場合、前記第２スリットは、前記湾曲部が山折りとなるように折れ曲がっている部分にもうけられている蓄電装置。
【符号の説明】
【００６５】
１０…蓄電装置としての二次電池、１１…ケース、１２…電極組立体、１２ａ…タブ側端面、１５…正極端子、１６…負極端子、２０…正極、２０ａ…正極用金属箔、２０ｂ…正極用活物質層、２０ｃ…正極タブ、２１…負極、２１ａ…負極用金属箔、２１ｂ…負極用活物質層、２１ｃ…負極タブ、２２ａ…第１端部、２２ｂ…第２端部、２３…セパレータ、２４ａ…正極曲部、２４ｂ…負極曲部、２４ｃ…曲対応部、２５…正極タブ群、２６…負極タブ群、２７ａ…正極基端部、２７ｂ…負極基端部、２８ａ…正極延出部、２８ｂ…負極延出部、２９…根本部、２９ａ…湾曲部、２９ｂ…湾曲対応部、５１…第１スリット、５２…第２スリット、Ａ…第１方向、Ｂ…第２方向。
【図１】
2020123552.tif 000003
【図２】
2020123552.tif 000004
【図３】
2020123552.tif 000005
【図４】
2020123552.tif 000006
【図５】
2020123552.tif 000007
【図６】
2020123552.tif 000008
【図７】
2020123552.tif 000009